(57)【要約】本発明は、便座の下降運動により装填レバーが回転しながら装填部材を加圧するため、力の伝達効率が向上して円滑に作動するだけでなく、装填レバーの加圧により移動し、装填された装填部材をトイレットペーパータイム及び洗浄調節部が加圧して解除させる前まで装填部材の装填された状態を維持するので、用便者のトイレットペーパーを捨てる時間の確保が容易であるのはもとより、装填部とトイレットペーパータイム及び洗浄調節部、または装填部とトイレットペーパータイム及び洗浄調節部とトイレットペーパータイム及び洗浄調節部、または装填部とトイレットペーパータイム及び洗浄調節部と大小便区分部とトイレットペーパータイム及び洗浄調節部をモジュール化して便座に設置する設置作業の簡素化によって作業工程及び作業時間を短縮することができる、着脱及び防水機能を備えた水タンク用無電源自動洗浄便座に関する。【選択図】図１
2019503447.tif 000002
【特許請求の範囲】
【請求項１】
着座する用便者の荷重で便座（１０）の下降動作を誘導し、前記便座（１０）から用便者が脱座して用便者の荷重が解除されると、便座（１０）の上昇動作を誘導する着座スイッチ（１００）と；
前記便座（１０）の下降動作と連動して装填部材（２２０）を圧縮させながら洗浄開閉部（５００）の洗浄ワイヤー（５４０）を引くことができる装填力を保有し、用便者の荷重が解除されると、便座（１０）の上昇動作と連動して復元される装填部材（２２０）の装填力で洗浄開閉部（５００）の洗浄ワイヤー（５４０）を引くことができるようにする装填部（２００）と；
前記装填部材（２２０）の装填力で引かれる洗浄ワイヤー（５４０）によってサイフォンカバー（２０）が上方に回転することで開放される排水孔を介して水槽の洗浄水が便器本体へ供給されて用便を洗浄するようにし、前記装填部材（２２０）の装填力が解除されると、下方に回転するサイフォンカバー（２０）が排水孔を閉鎖させるようにする洗浄開閉部（５００）と；
復元される前記装填部材（２２０）の急激な復元を防止しながら、
設定された水が排出されるまで洗浄開閉部（５００）の作動を維持するようにする洗浄開閉維持部（６００）と；を含んでなり、
前記装填部（２００）は、
着座スイッチ（１００）の感知板（１３０）に突出した装填軸（２１０）と；
前記装填軸（２１０）に装着され、便座（１０）の下降動作と連動する装填レバー（２３０）の加圧で回転しながらワイヤーガイド（５２０）のガイド誘導突起（５２３）にかかって洗浄ワイヤー（５４０）を引くことができる装填力が生成されるようにする装填部材（２２０）と；
前記装填部材（２２０）を加圧して回転させるように、他端は装填部材（２２０）の一側を収容し、一端は感知板（１３０）に設けられたガイド溝（２３０ａ）に回転可能に装着されるようにする装填レバー（２３０）と；
前記装填レバー（２３０）がガイド溝（２３０ａ）からの離脱を防止しながら装填レバー（２３０）を加圧するようにカバー（１２０）に装着されるレバーガイド（２４０）と；を含んでなることを特徴とする、着脱及び防水機能を備えた水タンク用無電源自動洗浄便座。
【請求項２】
着座する用便者の荷重で便座（１０）の下降動作を誘導し、前記便座（１０）から用便者が脱座して用便者の荷重が解除されると、便座（１０）の上昇動作を誘導する着座スイッチ（１００）と；
前記便座（１０）の下降動作と連動して装填部材（２２０）を圧縮させながら洗浄開閉部（５００）の洗浄ワイヤー（５４０）を引くことができる装填力を保有し、用便者の荷重が解除されると、便座（１０）の上昇動作と連動して復元される装填部材（２２０）の装填力で洗浄開閉部（５００）の洗浄ワイヤー（５４０）を引くことができるようにする装填部（２００）と；
前記便座（１０）の下降動作と連動する空気流入調節部（４２０）が上昇しながら誘導リブ（４１０）の内部の空気を排出させ、用便者の荷重が解除されると、便座（１０）の上昇動作と連動する空気流入調節部（４２０）が下降しながら、誘導リブ（４１０）の内部に流入する空気量を調節して用便者のトイレットペーパーを捨てる時間及び洗浄を調節するトイレットペーパータイム及び洗浄調節部（４００）と；
前記装填部材（２２０）の装填力で引かれる洗浄ワイヤー（５４０）によってサイフォンカバー（２０）が上方に回転しながら開放される排水孔を介して水槽の洗浄水が便器本体へ供給されて用便を洗浄するようにし、前記装填部材（２２０）の装填力が解除されると、下方に回転するサイフォンカバー（２０）が排水孔を閉鎖させるようにする洗浄開閉部（５００）と；
復元される前記装填部材（２２０）の急激な復元を防止しながら、設定された水が排出されるまで洗浄開閉部（５００）の作動を維持するようにする洗浄開閉維持部（６００）と；を含んでなり、
前記装填部（２００）は、
着座スイッチ（１００）の感知板（１３０）に突出した装填軸（２１０）と；
前記装填軸（２１０）に装着され、便座（１０）の下降動作と連動する装填レバー（２３０）の加圧で回転しながらワイヤーガイド（５２０）のガイド誘導突起（５２３）にかかって洗浄ワイヤー（５４０）を引くことができる装填力が生成されるようにする装填部材（２２０）と；
前記装填部材（２２０）を加圧して回転させるように、他端は装填部材（２２０）の一側を収容し、一端は感知板（１３０）に設けられたガイド溝（２３０ａ）に回転可能に装着されるようにする装填レバー（２３０）と；
前記装填レバー（２３０）がガイド溝（２３０ａ）からの離脱を防止しながら装填レバー（２３０）を加圧するようにカバー（１２０）に装着されるレバーガイド（２４０）と；を含んでなることを特徴とする、着脱及び防水機能を備えた水タンク用無電源自動洗浄便座。
【請求項３】
着座する用便者の荷重で便座（１０）の下降動作を誘導し、前記便座（１０）から用便者が脱座して用便者の荷重が解除されると、便座（１０）の上昇動作を誘導する着座スイッチ（１００）と；
前記便座（１０）の下降動作と連動して装填部材（２２０）を圧縮させながら洗浄開閉部（５００）の洗浄ワイヤー（５４０）を引くことができる装填力を保有し、用便者の荷重が解除されると、便座（１０）の上昇動作と連動して復元される装填部材（２２０）の装填力で洗浄開閉部（５００）の洗浄ワイヤー（５４０）を引くことができるようにする装填部（２００）と；
前記便座（１０）の下降動作と連動する誘導ロッド（３３０）が区分誘導リブ（３１０）の内部に移動しながら、区分誘導リブ（３１０）内部の空気を外部へ排出する空気量を調節して大小便判断部材（３４０ａ）が大小便判断ピン（３４０）を加圧しなければ、用便者の用便を小便と判断し、前記大小便判断部材（３４０ａ）が大小便判断ピン（３４０）を加圧すれば、用便者の用便を大便と判断する大小便区分部（３００）と；
前記便座（１０）の下降動作と連動する空気流入調節部（４２０）が上昇しながら誘導リブ（４１０）の内部の空気を排出させ、用便者の荷重が解除されると、便座（１０）の上昇動作と連動する空気流入調節部（４２０）が下降しながら、誘導リブ（４１０）の内部に流入する空気量を調節して用便者のトイレットペーパーを捨てる時間及び洗浄を調節するトイレットペーパータイム及び洗浄調節部（４００）と；
前記装填部材（２２０）の装填力で引かれる洗浄ワイヤー（５４０）によってサイフォンカバー（２０）が上方に回転しながら開放される排水孔を介して水槽の洗浄水が便器本体に供給されて用便を洗浄するようにし、前記装填部材（２２０）の装填力が解除されると、下方に回転するサイフォンカバー（２０）が排水孔を閉鎖させるようにする洗浄開閉部（５００）と；
復元される前記装填部材（２２０）の急激な復元を防止しながら、設定された水が排出されるまで洗浄開閉部（５００）の作動を維持するようにする洗浄開閉維持部（６００）と；を含んでなることを特徴とする、着脱及び防水機能を備えた水タンク用無電源自動洗浄便座。
【請求項４】
前記着座スイッチ（１００）は、
前記便座（１０）に設けられた設置孔（１１０）に装着されながら、内部に貫通したフック結合孔（１２１）に対して、感知板（１３０）に突出したフック（１３１）が結合されるようにするカバー（１２０）と、
前記カバー（１２０）に貫通したフック結合孔（１２１）にフック（１３１）が結合されながら便器本体に装着されるようにする感知板（１３０）と、
前記カバー（１２０）と感知板（１３０）との間に装着されるシートばね（１４０）とを含んでなることを特徴とする、請求項１乃至３のいずれか一項に記載の着脱及び防水機能を備えた水タンク用無電源自動洗浄便座。
【請求項５】
前記感知板（１３０）とカバー（１２０）を包み込んで設置孔（１１０）に装着される防水シート（１５０）をさらに含んでなることを特徴とする、請求項４に記載の着脱及び防水機能を備えた水タンク用無電源自動洗浄便座。
【請求項６】
前記カバー（１２０）を設置孔（１１０）に装着固定する装着固定部（１６０）をさらに含んでなることを特徴とする、請求項４に記載の着脱及び防水機能を備えた水タンク用無電源自動洗浄便座。
【請求項７】
前記装着固定部（１６０）は、
前記カバー（１２０）の一側に凹設された装着固定孔（１６１）と、
前記装着固定孔（１６１）に内蔵され、装着固定部材（１６３）を加圧する装着ばね（１６２）と、
前記装着ばね（１６２）の加圧によって装着固定孔（１６１）と便座（１０）に装着され、カバー（１２０）の分離を防止する装着固定部材（１６３）とを含んでなることを特徴とする、請求項６に記載の着脱及び防水機能を備えた水タンク用無電源自動洗浄便座。
【請求項８】
前記カバー（１２０）と感知板（１３０）との間に装填部（２００）、または装填部（２００）とトイレットペーパータイム及び洗浄調節部（４００）、または装填部（２００）と大小便区分部（３００）とトイレットペーパータイム及び洗浄調節部（４００）を装着してモジュール化することを特徴とする、請求項４に記載の着脱及び防水機能を備えた水タンク用無電源自動洗浄便座。
【請求項９】
前記装填部（２００）は、
着座スイッチ（１００）の感知板（１３０）に突出した装填軸（２１０）と；
前記装填軸（２１０）に装着され、便座（１０）の下降動作と連動する装填レバー（２３０）の加圧で回転しながらワイヤーガイド（５２０）のガイド誘導突起（５２３）にかかって洗浄ワイヤー（５４０）を引くことができる装填力が生成されるようにする装填部材（２２０）と；
前記装填部材（２２０）を加圧して回転させるように、他端は装填部材（２２０）の一側を収容し、一端は感知板（１３０）に設けられたガイド溝（２３０ａ）に回転可能に装着されるようにする装填レバー（２３０）と；
前記装填レバー（２３０）がガイド溝（２３０ａ）からの離脱を防止しながら装填レバー（２３０）を加圧するようにカバー（１２０）に装着されるレバーガイド（２４０）と；を含んでなることを特徴とする、請求項３に記載の着脱及び防水機能を備えた水タンク用無電源自動洗浄便座。
【請求項１０】
前記装填レバー（２３０）の加圧で回転して装填力が生成された装填部材（２２０）を収容しながら、装填部材（２２０）が離脱する前まで装填部材（２２０）の装填力を維持できる装填維持部材（２５０）をさらに含んでなることを特徴とする、請求項１または２または９に記載の着脱及び防水機能を備えた水タンク用無電源自動洗浄便座。
【請求項１１】
前記装填維持部材（２５０）は、
前記装填部材（２２０）が移動して係止されるように傾斜した係止突起（２５１ａ）が突出した装填維持ボディ（２５１）と、
前記装填維持ボディ（２５１）を支持する制御ばね（２５２）とを含んでなることを特徴とする、請求項１０に記載の着脱及び防水機能を備えた水タンク用無電源自動洗浄便座。
【請求項１２】
前記洗浄開閉部（５００）は、
便座（１０）に突出した回転誘導軸（５１０）と、
前記回転誘導軸（５１０）に軸孔（５２１）が装着されながら、ワイヤーガイド（５２０）のガイド誘導突起（５２３）にかかった装填部材（２２０）の装填力で洗浄ワイヤー（５４０）を引くことができるように回転するワイヤーガイド（５２０）と、
前記ワイヤーガイド（５２０）に設けられたローラー誘導孔（５２２）に回転可能に装着され、洗浄ワイヤー（５４０）を誘導するワイヤーローラー（５３０）と、
前記ワイヤーローラー（５３０）を介してサイフォンカバー（２０）と便座（１０）とを連結する洗浄ワイヤー（５４０）とを含んでなる、請求項１乃至３のいずれか一項に記載の着脱及び防水機能を備えた水タンク用無電源自動洗浄便座。
【請求項１３】
前記便座（１０）に突出した回転誘導軸（５１０ａ）に装着され、ワイヤーガイド（５２０）の回転を誘導する補助ワイヤーローラー（５３０ａ）をさらに含んでなることを特徴とする、請求項１２に記載の着脱及び防水機能を備えた水タンク用無電源自動洗浄便座。
【請求項１４】
前記洗浄開閉維持部（６００）は、
便座（１０）に突出した回転誘導軸（６１０）と、
前記回転誘導軸（６１０）に装着され、復元される装填部材（２２０）の復元力を一部吸収しながら復元時間を遅延させる開閉維持部材（６２０）とを含んでなることを特徴とする、請求項１乃至３のいずれか一項に記載の着脱及び防水機能を備えた水タンク用無電源自動洗浄便座。
【請求項１５】
前記開閉維持部材（６２０）は、
前記回転誘導軸（６１０）に軸孔（６２２）が装着される開閉維持ボディ（６２１）と、
前記開閉維持ボディ（６２１）の一端部に突出し、便座（１０）の内面に密着しながら装填部材（２２０）の復元力を吸収して支持する弾性片（６２３）とを含んでなることを特徴とする、請求項１４に記載の着脱及び防水機能を備えた水タンク用無電源自動洗浄便座。
【請求項１６】
前記トイレットペーパータイム及び洗浄調節部（４００）は、
着座スイッチ（１００）のカバー（１２０）に突出し、内部に貫通した排出通孔（４１１）を流入チェックバルブ（４１０ａ）が開閉しながら一側に大／小便調節ボルト（４１２’、４１３’）が締結される大／小便排出孔（４１２、４１３）が設けられた誘導リブ（４１０）と；
前記誘導リブ（４１０）に内蔵され、便座（１０）の下降動作と連動して開放される流入チェックバルブ（４１０ａ）へ誘導リブ（４１０）の内部空気を排出し、便座（１０）の上昇動作と連動して流入チェックバルブ（４１０ａ）を閉鎖させながら、誘導リブ（４１０）の内部に流入する空気量を調節する空気流入調節部（４２０）と；
前記空気流入調節部（４２０）に設けられたチェックピン制御溝（４２５ｂ）に装着され、空気流入調節部（４２０）に沿って昇降しながら、誘導リブ（４１０）に穿設された誘導リブ通孔（４１１’）を開閉して用便者のトイレットペーパーを捨てる時間を確保するようにするトイレットペーパータイムチェックピン（４３０）と；
前記誘導リブ（４１０）の内部に空気流入調節部（４２０）が昇降しながら、空気流入調節部（４２０）の一側に形成された装填解除部材（４５０）が加圧して装填部（２００）の装填維持部材（２５０）の支持力を解除する装填解除誘導部材（４４０）と；を含んでなることを特徴とする、請求項２または３に記載の着脱及び防水機能を備えた水タンク用無電源自動洗浄便座。
【請求項１７】
前記空気流入調節部（４２０）は、
前記誘導リブ（４１０）の内部を昇降する空気流入調節部材（４２１）と；
前記空気流入調節部材（４２１）の上面に安着される安着カバー（４２２）と；
前記安着カバー（４２２）と空気流入調節部材（４２１）に貫通して流入チェックバルブ（４１０ａ）が結合される通孔（４２２ａ、４２１ａ）と；
前記空気流入調節部材（４２１）に装着され、調節ばね（４２４）を支持するフラッシュワッシャー（４２３）と；
前記フラッシュワッシャー（４２３）に密着するように空気流入調節部材（４２１）に装着される調節ばね（４２４）と；
前記空気流入調節部材（４２１）の下端部に装着され、調節ばね（４２４）の離脱を防止しながら便座（１０）の下降動作と連動して調節ばね（４２４）を圧縮させ、外周面に判断ピン制御溝（４２５ａ）とチェックピン制御溝（４２５ｂ）が設けられる離脱防止部材（４２５）と；
前記空気流入調節部材（４２１）の通孔（４２１ａ）に締結され、空気の移動を誘導する流入量調節ボルト（４２６）と；を含んでなることを特徴とする、請求項１６に記載の着脱及び防水機能を備えた水タンク用無電源自動洗浄便座。
【請求項１８】
前記空気流入調節部材（４２１）の通孔（４２１ａ）に締結される流入量調節ボルト（４２６）の締結力によって圧縮され、空気の移動を誘導する調節フィルター（４２７）と、
前記流入量調節ボルト（４２６）に内蔵され、異物を濾過する微調整フィルター（４２７ａ）とをさらに含んでなることを特徴とする、請求項１７に記載の着脱及び防水機能を備えた水タンク用無電源自動洗浄便座。
【請求項１９】
前記装填解除誘導部材（４４０）は、
カバー（１２０）に設けられたボディ結合孔（４４０ａ）に装着されて回転する装填解除誘導ボディ（４４１）と、
前記装填解除誘導ボディ（４４１）の一側に突出し、装填維持部材（２５０）の装填維持制御突起（２５１ｂ）に選択的にかかるようにする装填解除制御突起（４４２）と、
前記装填解除制御突起（４４２）に対して鈍角で装填解除誘導ボディ（４４１）の他側に突出して装填解除部材（４５０）が加圧されるようにする装填解除誘導突起（４４３）と、
前記装填解除誘導ボディ（４４１）の一側に突出しながら、便座（１０）の内面に密着して装填解除部材（４５０）の加圧力が解除された装填解除誘導ボディ（４４１）を復元させる復元弾性片（４４４）とを含んでなることを特徴とする、請求項１６に記載の着脱及び防水機能を備えた水タンク用無電源自動洗浄便座。
【請求項２０】
前記大小便区分部（３００）は、
着座スイッチ（１００）のカバー（１２０）に突出し、内部に流入通孔（３１１）が穿設された区分誘導リブ（３１０）と、
前記区分誘導リブ（３１０）の流入通孔（３１１）を開閉する排出チェックバルブ（３２０）と、
前記区分誘導リブ（３１０）に内蔵され、便座（１０）の下降動作と連動して誘導ばね（３３０’）の加圧で移動しながら区分誘導リブ（３１０）の内部の空気を誘導通孔（３３０ａ）へ排出する誘導ロッド（３３０）と、
前記誘導ロッド（３３０）の一側に突出した大小便判断部材（３４０ａ）の加圧で小便排出孔（４１３）の開閉有無に応じて大／小便を判断するように空気流入調節部（４２０）の判断ピン制御溝（４２５ａ）に装着される大小便判断ピン（３４０）と、
前記誘導通孔（３３０ａ）へ排出される空気の移動を制御するように誘導通孔（３３０ａ）に締結される排出量調節ボルト（３５０）とを含んでなることを特徴とする、請求項３に記載の着脱及び防水機能を備えた水タンク用無電源自動洗浄便座。
【請求項２１】
前記誘導ロッド（３３０）の誘導通孔（３３０ａ）に締結される排出量調節ボルト（３５０）の締結力で圧縮され、空気の移動を誘導する調節フィルター（３６０）をさらに含んでなることを特徴とする、請求項２０に記載の着脱及び防水機能を備えた水タンク用無電源自動洗浄便座。
【発明の詳細な説明】
【技術分野】
【０００１】
本発明は、水タンク用無電源自動洗浄便座に係り、より詳細には、便座の下降運動により装填レバーが回転しながら装填部材を加圧するため、力の伝達効率が向上して円滑に作動するだけでなく、装填レバーの加圧により移動し、装填された装填部材をトイレットペーパータイム及び洗浄調節部が加圧して解除させる前まで装填部材の装填された状態を維持するので、用便者のトイレットペーパーを捨てる時間の確保が容易であるのはもとより、装填部とトイレットペーパータイム及び洗浄調節部、または装填部とトイレットペーパータイム及び洗浄調節部とトイレットペーパータイム及び洗浄調節部、または装填部とトイレットペーパータイム及び洗浄調節部と大小便区分部とトイレットペーパータイム及び洗浄調節部をモジュール化して便座に設置する設置作業の簡素化によって作業工程及び作業時間を短縮することができる、着脱及び防水機能を備えた水タンク用無電源自動洗浄便座に関する。
【背景技術】
【０００２】
一般に、便器は、家庭や建物のトイレに設置され、用便者の用便後、用便者により移動するレバーにより排水される洗浄水と用便者の用便が浄化槽へ排出されるように構成される。最近では、水圧を用いて洗浄が自動的に駆動されるようにする無電源自動洗浄装置が韓国公開特許第１０−０９４６３９３号公報に開示されている。
【０００３】
この先行登録特許は、便座への用便者の着座の際に、用便者の荷重で開放される水路を介して水道栓の水が作動部へ供給され、作動部へ供給される水の水圧でシリンダーロッドがばねを圧縮させながら移動するとともに、圧縮されたばねの復元力によってシリンダーロッドを移動させた水が洗浄装置へ供給されて排出される洗浄水で大小便の用便を洗浄する構成である
【０００４】
ところが、この先行登録特許は、水道栓から供給される水の水圧がばねの張力よりも弱い場合、シリンダーロッドを加圧して移動させないため用便者の大小便を判断することができないとともに、洗浄が作動しないため自動洗浄装置の機能を失うのでユーザーの製品に対する信頼性を低下させるという問題点があった。
【０００５】
また、多数の便器が設置されたトイレで用便を同時に洗浄する場合、便器に水が供給されながら水圧が良く弱くなることにより大便判断の位置だけシリンダーロッドが前進できないため小便量の洗浄水が排出されるので、用便が残って便器が詰まったり悪臭が発生したりする原因になるのはもとより、残った用便を洗浄するために、もう一度手動でレバーを加圧して洗浄を行わなければならない面倒さがあり、水が浪費されて経済性が低下するうえ、非衛生的であるという問題点があった。
【０００６】
さらに、水の水圧で作動する作動部の構成が複雑であって生産性が低下しながら製造コストが上昇して経済性が低下するという問題点や、部品の構成が多くて連結部位からの漏水発生の原因を提供するのはもとより、水路に異物などが溜まって誤動作の原因となるという問題点などがあった。
【０００７】
かかる問題点を解決するために、近年、韓国公開特許第１０−１０７１９８１号公報には、人体荷重のエネルギーのみで大小便を区分して便器の自動洗浄が可能な便座が開示されている。
【０００８】
この先行登録特許は、便座に着座する用便者の荷重で便座が下降しながら第１、２装填ローラーの間隔が狭くなることにより、装填ワイヤーの緊張力が失われるとともに、装填ワイヤー固定部材に固定された着脱部材が便座の下降により移動しながら大小便区分判断部を加圧すると小便と判断し、シリンダーロッドが大小便区分判断部を加圧すると大便と判断した状態で、用便者が便座から脱座すると、便座の復元力で第１、２装填ローラーの間隔が広がることにより、装填ワイヤーが緊張されながら洗浄ワイヤーを引っ張って大小便に対応する洗浄水が便器本体へ排出されて用便を洗浄することにより、従来の問題点を解決することができた。
【０００９】
しかし、先行登録特許は、便座に対して着座及び脱座する用便者の荷重で流体をシリンダーへ供給するとき、流体の移動構造が複雑であって部品の数が増加するので、組み立てが難しいうえ、製造コストの上昇により経済性が低下するという問題点があった。
【００１０】
また、部品の連結部位を介して流体が漏れるおそれがあってメンテナンスが難しく、不良率が高くなり、オイルの注入量及び温度の変化による粘度差によって作動時間が異なるため、誤動作が発生するのはもとより、別途装着された水路開閉弁のオン／オフエラーで水を下ろさないか或いは下ろし続けるため、使用者における製品への信頼性の低下を引き起こすという問題点があった。
【００１１】
かかる問題点を解決するために、韓国公開特許第１０−１３８９９４１号公報には、 人体荷重だけで空気排出及び吸引制御機能を備えた水タンク用無電源自動洗浄便座及び水タンク用無電源自動洗浄便座が開示されている。
【００１２】
この先行登録特許は、用便者が便座に着座するとき、便座の下降動作と連動して装填部材で洗浄ワイヤーを引っ張る装填力を保有するようにし、用便者が便座から脱座すると、便座の上昇動作と連動して引かれる洗浄ワイヤーがサイフォンカバーを上方に回転させるとともに、開放される排水孔を介してタンクの洗浄水が便器本体へ排出されて用便を洗浄するのはもとより、トイレットペーパータイム調節部の内部に吸い込まれる空気量を調節して洗浄の作動時間を調節することにより、従来の問題点を解決することができた。
【００１３】
しかし、この先行登録特許は、洗浄ワイヤーを引くことができる装填力が便座の下降動作によって装填部材で保有することができるようにするが、レバーの回転移動に伴って装填部材を引っ張る装填ワイヤーの摩擦及び負荷が発生し、力の伝達効率が低下してサイフォンカバーを十分に持ち上げることができないから、タンクに貯留された洗浄水の排出が円滑でないため用便の洗浄力が低下するのはもとより、便器本体に残便や異物が残って便器が詰まったり悪臭発生の原因となったりするので、ユーザーにおける製品への信頼性の低下を引き起こすという問題点などがあった。
【００１４】
また、洗浄水の円滑な排出のためにサイフォンカバーを十分に持ち上げるように動作させなければならないが、これは、便座の高さにより用便者の不便さと設計上の制約が伴う問題点や、部品数の増加によって組み立てが難しいため作業時間が長くなるだけでなく、製造コストの上昇により経済性が低下する問題点があった。
【００１５】
かかる問題点を解決するために、近年、韓国公開特許第１０−１５３５２７８号公報には、最低の人間荷重と最小の着座スイッチの動作によって便器の洗浄機能を極大化させた装填加圧突起が形成された無電源洗浄装置が開示されている。
【００１６】
この先行登録特許は、用便者の荷重による便座の下降動作と連動して誘導リブ内部の空気を外部に排出するとともに、加圧突起の加圧で装填部材が回転しながら洗浄ワイヤーを引くことができる装填力を保有することができるようにし、用便者の荷重が解除されると、誘導リブの内部に流入する空気量を調節して用便者のトイレットペーパーを捨てる時間を調節するとともに、装填部材の復元力によって洗浄ワイヤーが引っ張られながらサイフォンカバーの上昇により開放される排水孔を介してタンクの洗浄水が便器本体へ排出されて用便を洗浄することにより、従来の問題点を解決することができた。
【００１７】
しかし、この先行登録特許は、加圧突起の加圧で装填部材が回転しながら洗浄ワイヤーを引くことができる力を装填する構成であって、加圧突起の上下運動によって装填部材が回転運動するとき、加圧突起と装填部材との摩擦力により作動が円滑でないだけでなく、部品の損傷が発生してメンテナンスが難しい問題点や、装填部材を回転させるために加圧突起を移動させる用便者の荷重が重くなければ円滑な作動ができない問題点があった。
【００１８】
また、装填部材の装填力によって洗浄開閉部を作動させるとき、装填部材が係止解除部材に沿って移動しながら洗浄開閉部の作動を解除するが、装填部材が傾いた係止解除部材に密着して移動するので、装填部材と係止解除部材との摩擦力によって作動が円滑でないだけでなく、部品の損傷が発生してメンテナンスが難しい問題点があった。
【００１９】
また、調節ボルトの加圧による調節フィルターの圧縮程度に応じて、流入する空気量を調節するか、前記調節フィルターは、濾過される微細塵によって調節量が変わったり、場合によっては詰まってしまって復元されないため洗浄を継続する誤動作が起ったりする問題点があって、洗浄を実現する各部の構成がそれぞれの部品で形成されて便座にそれぞれ組み立てられるため、作業工程が複雑であるだけでなく、作業時間が長くなって人件費の上昇により経済性が低下する問題点があった。
【００２０】
また、便座の下板にそれぞれの部品を組み立てた後、上板を覆う過程でそれぞれの部品を防水しなければならないが、それぞれの部品が設置された面積が広くて防水条件が難しく、Ａ／Ｓ発生の際に、処理が難しいだけでなく、使用の際に用便及び異物などが着座スイッチに流入して悪臭が発生したり正常に作動しないエラーが発生したりする問題点があった。
【先行技術文献】
【特許文献】
【００２１】
【特許文献１】韓国公開特許第１０−０９４６３９３号公報
【特許文献２】韓国公開特許第１０−１０７１９８１号公報
【特許文献３】韓国公開特許第１０−１３８９９４１号公報
【特許文献４】韓国公開特許第１０−１５３５２７８号公報
【発明の概要】
【発明が解決しようとする課題】
【００２２】
そこで、本発明は、上述したような従来の諸般問題点に鑑みてなされたもので、その目的は、便座の下降運動により装填レバーが回転しながら装填部材を加圧するため、力の伝達効率が向上して作動が円滑であるのはもとより、便座の下降動作と連動して装填部材が圧縮されながら、洗浄ワイヤーを引くことができる装填力を保有するようにし、便座の上昇動作と連動して復元される装填部材が洗浄ワイヤーを引きながらタンクの洗浄水を便器本体へ円滑に排出することにより、用便の洗浄力を向上させることができる、着脱及び防水機能を備えた水タンク用無電源自動洗浄便座を提供することにある。
【００２３】
また、本発明の他の目的は、便座の下降動作と連動してトイレットペーパータイム及び洗浄調節部の内部空気を排出し、便座の上昇動作と連動しながらトイレットペーパータイム及び洗浄調節部の内部に流入する空気量を調節して装填レバーの加圧で移動し、装填された装填部材をトイレットペーパータイム及び洗浄調節部が加圧して解除させる前まで装填部材の装填された状態を維持することができるため、用便者のトイレットペーパーを捨てる時間を確保して使用することができる、着脱及び防水機能を備えた水タンク用無電源自動洗浄便座を提供することにある。
【００２４】
また、本発明の別の目的は、トイレットペーパータイム及び洗浄調節部の内部に流入する空気に含まれている異物を微調整フィルターで濾過することにより調節フィルターの目詰まりによる誤動作を防止することができる、着脱及び防水機能を備えた水タンク用無電源自動洗浄便座を提供することにある。
【００２５】
また、本発明の別の目的は、装填部、または装填部とトイレットペーパータイム及び洗浄調節部、または装填部と大小便区分部とトイレットペーパータイム及び洗浄調節部をモジュール化して便座に設置する設置作業の簡素化によって作業工程及び作業時間を短縮させるとともに、着座スイッチを防水部材で包んで着座スイッチ内部への用便及び異物の流入を遮断して悪臭及びエラーの発生を防止することができる、着脱及び防水機能を備えた水タンク用無電源自動洗浄便座を提供することにある。
【課題を解決するための手段】
【００２６】
本発明の着脱及び防水機能を備えた水タンク用無電源自動洗浄便座は、
着座する用便者の荷重で便座の下降動作を誘導し、前記便座から用便者が脱座して用便者の負荷が解除されると、便座の上昇動作を誘導する着座スイッチと；
前記便座の下降動作と連動して装填部材を圧縮させながら洗浄開閉部の洗浄ワイヤーを引くことができる装填力を保有し、用便者の荷重が解除されると、便座の上昇動作と連動して復元される装填部材の装填力によって洗浄開閉部の洗浄ワイヤーを引くことができるようにする装填部と；
前記装填部材の装填力で引かれる洗浄ワイヤーによってサイフォンカバーが上方に回転しながら開放される排水孔を介して水槽の洗浄水が便器本体へ供給されて用便を洗浄するようにし、前記装填部材の装填力が解除されると、下方に回転するサイフォンカバーが排水孔を閉鎖させるようにする洗浄開閉部と；
復元される前記装填部材の急激な復元を防止するとともに、設定された水が排出されるまで洗浄開閉部の作動を維持するようにする洗浄開閉維持部と；を含んでなることを特徴とする。
【発明の効果】
【００２７】
本発明によれば、便座の下降運動によって装填レバーが回転しながら装填部材を加圧するため、力の伝達効率が向上するので、子供のように荷重の軽い用便者が使用しても、作動がスムーズであって、ユーザーにおける製品への信頼性を向上させることができるという利点を持つ。
【００２８】
また、本発明によれば、便座の下降動作と連動して装填部材が圧縮されながら洗浄ワイヤーを引くことができる装填力を保有するようにし、便座の上昇動作と連動して復元される装填部材が洗浄ワイヤーを引きながらタンクの洗浄水を便器本体へ円滑に排出することにより、用便の洗浄力を向上させ、残便による悪臭発生の原因を除去して使用することができるという利点を持つ。
【００２９】
また、本発明によれば、便座の下降動作と連動してトイレットペーパータイム及び洗浄調節部の内部空気を排出し、便座の上昇動作と連動しながらトイレットペーパータイム及び洗浄調節部の内部に流入する空気量を調節して装填レバーの加圧によって移動し、装填された装填部材をトイレットペーパータイム及び洗浄調節部が加圧して解除させるまで装填部材の装填された状態を維持することができるため、用便者のトイレットペーパーを捨てる時間を確保して使用することができるという利点を持つ。
【００３０】
また、本発明によれば、トイレットペーパータイム及び洗浄調節部の内部に流入する空気に含まれている異物を微調整フィルターで濾過することにより調節フィルターの目詰まりによる誤動作を防止しながら安定感よく使用することができるという利点を持つ。
【００３１】
また、本発明によれば、装填部、または装填部とトイレットペーパータイム及び洗浄調節部、または装填部と大小弁区分部とトイレットペーパータイム及び洗浄調節部をモジュール化して便座に設置する設置作業の簡素化により作業工程及び作業時間を短縮させるとともに、着座スイッチを防水部材で包んで着座スイッチ内部への用便及び異物の流入を遮断して悪臭及びエラーの発生を防止することができるという利点を持つ。
【図面の簡単な説明】
【００３２】
【図１】本発明の斜視図である。
【図２】本発明の分離斜視図である。
【図３】本発明の空気流入調節部の分離斜視図である。
【図４】本発明の着座スイッチを設置孔に設置する過程図である。
【図５】本発明の着座スイッチを設置孔に設置する過程図である。
【図６】本発明の設置状態図である。
【図７】本発明が適用された便座に用便者が着座するときの作動状態図である。
【図８】本発明が適用された便座に用便者が着座するときの作動状態図である。
【図９】本発明が適用された便座に用便者が着座するときの作動状態図である。
【図１０】本発明が適用された便座に用便者が着座するときの作動状態図である。
【図１１】本発明が適用された便座に用便者が着座するときの作動状態図である。
【図１２】本発明が適用された便座に用便者が着座するときの作動状態図である。
【図１３】本発明の大小便区分部によって用便者の大便か小便かを判断する作動状態図である。
【図１４】本発明の大小便区分部によって用便者の大便か小便かを判断する作動状態図である。
【図１５】本発明の大小便区分部によって用便者の大便か小便かを判断する作動状態図である。
【図１６】本発明の大小便区分部によって用便者の大便か小便かを判断する作動状態図である。
【図１７】本発明の大小便区分部によって用便者の大便か小便かを判断する作動状態図である。
【図１８】本発明が適用された便座から用便者が脱座して用便を洗浄する作動状態図である。
【図１９】本発明が適用された便座から用便者が脱座して用便を洗浄する作動状態図である。
【図２０】本発明が適用された便座から用便者が脱座して用便を洗浄する作動状態図である。
【図２１】本発明が適用された便座から用便者が脱座して用便を洗浄する作動状態図である。
【図２２】本発明が適用された便座から用便者が脱座して用便を洗浄する作動状態図である。
【図２３】本発明が適用された便座から用便者が脱座して用便を洗浄する作動状態図である。
【図２４】本発明が適用された便座から用便者が脱座して用便を洗浄する作動状態図である。
【発明を実施するための形態】
【００３３】
以下、添付図面に基づいて本発明を詳細に説明する。図１は本発明の斜視図、図２は本発明の分離斜視図、図３は本発明の空気流入調節部の分離斜視図である。
【００３４】
本発明の着脱及び防水機能を備えた水タンク用無電源自動洗浄便座は、
着座する用便者の荷重で便座１０の下降動作を誘導し、前記便座１０から用便者が脱座して用便者の荷重が解除されると、便座１０の上昇動作を誘導する着座スイッチ１００と；前記便座１０の下降動作と連動して装填部材２２０を圧縮させながら洗浄開閉部５００の洗浄ワイヤー５４０を引くことができる装填力を保有し、用便者の荷重が解除されると、便座１０の上昇動作と連動して復元される装填部材２２０の装填力によって洗浄開閉部５００の洗浄ワイヤー５４０を引っ張ることができるようにする装填部２００と；前記装填部材２２０の装填力で引かれる洗浄ワイヤー５４０によってサイフォンカバー２０が上方に回転しながら開放される排水孔を介して水槽の洗浄水が便器本体へ供給されて用便を洗浄するようにし、前記装填部材２２０の装填力が解除されると、下方に回転するサイフォンカバー２０が排水孔を閉鎖させるようにする洗浄開閉部５００と；復元される前記装填部材２２０の急激な復元を防止しながら、設定された水が排出されるまで洗浄開閉部５００の作動を維持するように洗浄開閉維持部６００とを含んでなる。
【００３５】
また、本発明の着脱及び防水機能を備えた水タンク用無電源自動洗浄便座は、着座する用便者の荷重で便座１０の下降動作を誘導し、前記便座１０から用便者が脱座して用便者の荷重が解除されると、便座１０の上昇動作を誘導する着座スイッチ１００と；前記便座１０の下降動作と連動して装填部材２２０を圧縮させながら洗浄開閉部５００の洗浄ワイヤー５４０を引くことができる装填力を保有し、用便者の荷重が解除されると、便座１０の上昇動作と連動して復元される装填部材２２０の装填力で洗浄開閉部５００の洗浄ワイヤー５４０を引くことができるようにする装填部２００と；前記便座１０の下降動作と連動する空気流入調節部４２０が上昇しながら誘導リブ４１０の内部の空気を排出させ、用便者の荷重が解除されると、便座１０の上昇動作と連動する空気流入調節部４２０が下降しながら誘導リブ４１０内への流入空気量を調節して用便者のトイレットペーパーを捨てる時間及び洗浄を調節するトイレットペーパータイム及び洗浄調節部４００と；前記装填部材２２０の装填力で引かれる洗浄ワイヤー５４０によってサイフォンカバー２０が上方に回転しながら開放される排水孔を介して水槽の洗浄水が便器本体に供給されて用便を洗浄するようにし、前記装填部材２２０の装填力が解除されると、下方に回転するサイフォンカバー２０が排水孔を閉鎖させるようにする洗浄開閉部５００；復元される前記装填部材２２０の急激な復元を防止しながら、設定された水が排出されるまで洗浄開閉部５００の作動を維持するようにする洗浄開閉維持部６００と；を含んで構成される。
【００３６】
また、本発明の着脱及び防水機能を備えた水タンク用無電源自動洗浄便座は、着座する用便者の荷重で便座１０の下降動作を誘導し、前記便座１０から用便者が脱座して用便者の荷重が解除されると、便座１０の上昇動作を誘導する着座スイッチ１００と；前記便座１０の下降動作と連動して装填部材２２０を圧縮させながら洗浄開閉部５００の洗浄ワイヤー５４０を引くことができる装填力を保有し、用便者の荷重が解除されると、便座１０の上昇動作と連動して復元される装填部材２２０の装填力で洗浄開閉部５００の洗浄ワイヤー５４０を引くことができるようにする装填部２００と；前記便座１０の下降動作と連動する誘導ロッド３３０が区分誘導リブ３１０の内部に移動しながら区分誘導リブ３１０内部の空気を外部へ排出する空気量を調節して大小便判断部材３４０ａが大小便判断ピン３４０を加圧しなければ、用便者の用便を小便と判断し、前記大小便判断部材３４０ａが大小便判断ピン３４０を加圧すると、用便者の用便を大便と判断する大小便区分部３００と；前記便座１０の下降動作と連動する空気流入調節部４２０が上昇しながら誘導リブ４１０の内部の空気を排出させ、用便者の荷重が解除されると、便座１０の上昇動作と連動する空気流入調節部４２０が下降しながら誘導リブ４１０内への流入空気量を調節して用便者のトイレットペーパーを捨てる時間及び洗浄を調節するトイレットペーパータイム及び洗浄調節部４００と；前記装填部材２２０の装填力で引かれる洗浄ワイヤー５４０によってサイフォンカバー２０が上方に回転しながら開放される排水孔を介して水槽の洗浄水が便器本体へ供給されて用便を洗浄するようにし、前記装填部材２２０の装填力が解除されると、下方に回転するサイフォンカバー２０が排水孔を閉鎖させるようにする洗浄開閉部５００と；復元される前記装填部材２２０の急激な復元を防止しながら、設定された水が排出されるまで洗浄開閉部５００の作動を維持するようにする洗浄開閉維持部６００と；を含んで構成される。
【００３７】
前記着座スイッチ１００は、前記便座１０に設けられた設置孔１１０に装着されながら、内部に貫通したフック結合孔１２１に対して、感知板１３０に突出したフック１３１が結合されるようにするカバー１２０と、前記カバー１２０に貫通したフック結合孔１２１にフック１３１が結合されながら、便器本体に装着されるようにする感知板１３０と、前記カバー１２０と感知板１３０との間に装着されるシートばね１４０とを含んでなる。
【００３８】
前記感知板１３０とカバー１２０を包み込んで設置孔１１０に装着される防水シート１５０をさらに含んでなる。
【００３９】
前記カバー１２０を設置孔１１０に装着固定する装着固定部１６０をさらに含んでなり、前記装着固定部１６０は、前記カバー１２０の一側に凹設された装着固定孔１６１と、前記装着固定孔１６１に内蔵され、装着固定部材１６３を加圧する装着ばね１６２と、前記装着ばね１６２の加圧によって装着固定孔１６１と便座１０に装着され、カバー１２０の分離を防止する装着固定部材１６３とを含んでなる。
【００４０】
前記カバー１２０と感知板１３０との間に装填部２００、または装填部２００とトイレットペーパータイム及び洗浄調節部４００、または装填部２００と大小便区分部３００とトイレットペーパータイム及び洗浄調節部４００を装着してモジュール化することが好ましい。
【００４１】
前記装填部２００は、着座スイッチ１００の感知板１３０に突出した装填軸２１０と；前記装填軸２１０に装着され、便座１０の下降動作と連動する装填レバー２３０の加圧で回転しながらワイヤーガイド５２０のガイド誘導突起５２３にかかって洗浄ワイヤー５４０を引くことができる装填力が生成されるようにする装填部材２２０と；前記装填部材２２０を加圧して回転させるように、他端は装填部材２２０の一側を収容し、一端は感知板１３０に設けられたガイド溝２３０ａに回転可能に装着されるようにする装填レバー２３０と；前記装填レバー２３０がガイド溝２３０ａからの離脱を防止しながら装填レバー２３０を加圧するようにカバー１２０に装着されるレバーガイド２４０と；を含んでなる。
【００４２】
前記装填レバー２３０の加圧で回転して装填力が生成された装填部材２２０を収容しながら、装填部材２２０が離脱する前まで装填部材２２０の装填力を維持するようにする装填維持部材２５０をさらに含んでなり、前記装填維持部材２５０は、前記装填部材２２０が移動して係止されるように傾斜した係止突起２５１ａが突出した装填維持ボディ２５１と、前記装填維持ボディ２５１を支持する制御ばね２５２とを含んでなる。
【００４３】
前記洗浄開閉部５００は、便座１０に突出した回転誘導軸５１０と；前記回転誘導軸５１０に軸孔５２１が装着されながら、ガイド誘導突起５２３にかかった装填部材２２０の装填力によって洗浄ワイヤー５４０を引くことができるように回転するワイヤーガイド５２０と；前記ワイヤーガイド５２０に設けられたローラー誘導孔５２２に回転可能に装着され、洗浄ワイヤー５４０を誘導するワイヤーローラー５３０と；前記ワイヤーローラー５３０を介してサイフォンカバー２０と便座１０とを連結する洗浄ワイヤー５４０と；を含んでなる。
【００４４】
前記便座１０に突出した回転誘導軸５１０ａに装着され、ワイヤーガイド５２０の回転を誘導する補助ワイヤーローラー５３０ａをさらに含んでなる。
【００４５】
前記洗浄開閉維持部６００は、便座１０に突出した回転誘導軸６１０と、前記回転誘導軸６１０に装着され、復元される装填部材２２０の復元力を一部吸収しながら復元時間を遅延させる開閉維持部材６２０とを含んでなる。
【００４６】
前記開閉維持部材６２０は、前記回転誘導軸６１０に軸孔６２２が装着される開閉維持ボディ６２１と、前記開閉維持ボディ６２１の一端部に突出し、便座１０の内面に密着しながら装填部材２２０の復元力を吸収して支持する弾性片６２３とを含んでなる。
【００４７】
前記トイレットペーパータイム及び洗浄調節部４００は、着座スイッチ１００のカバー１２０に突出し、内部に貫通した排出通孔４１１を流入チェックバルブ４１０ａが開閉しながら一側に大／小便調節ボルト４１２’、４１３’が締結される大／小便排出孔４１２、４１３が設けられた誘導リブ４１０と；前記誘導リブ４１０に内蔵され、便座１０の下降動作と連動して開放される流入チェックバルブ４１０ａによって誘導リブ４１０の内部空気を排出し、便座１０の上昇動作と連動して流入チェックバルブ４１０ａを閉鎖させながら、誘導リブ４１０の内部に流入する空気量を調節する空気流入調節部４２０と；前記空気流入調節部４２０に設けられたチェックピン制御溝４２５ｂに装着され、空気流入調節部４２０に沿って昇降しながら、誘導リブ４１０に穿設された誘導リブ通孔４１１’を開閉して用便者のトイレットペーパーを捨てる時間を確保するようにするトイレットペーパータイムチェックピン４３０と；前記誘導リブ４１０の内部に空気流入調節部４２０が昇降しながら、空気流入調節部４２０の一側に形成された装填解除部材４５０が加圧して装填部２００の装填維持部材２５０の支持力を解除する装填解除誘導部材４４０と；を含んでなる。
【００４８】
前記空気流入調節部４２０は、前記誘導リブ４１０の内部を昇降する空気流入調節部材４２１と；前記空気流入調節部材４２１の上面に安着される安着カバー４２２と；前記安着カバー４２２と空気流入調節部材４２１に貫通して流入チェックバルブ４１０ａが結合される通孔４２２ａ、４２１ａと；前記空気流入調節部材４２１に装着され、調節ばね４２４を支持するフラッシュワッシャー４２３と；前記フラッシュワッシャー４２３に密着するように空気流入調節部材４２１に装着される調節ばね４２４と；前記空気流入調節部材４２１の下端部に装着され、調節ばね４２４の離脱を防止しながら便座１０の下降動作と連動して調節ばね４２４を圧縮させ、外周面に判断ピン制御溝４２５ａとチェックピン制御溝４２５ｂが設けられる離脱防止部材４２５と；前記空気流入調節部材４２１の通孔４２１ａに締結され、空気の移動を誘導する流入量調節ボルト４２６と；を含んでなる。
【００４９】
前記空気流入調節部材４２１の通孔４２１ａに締結される流入量調節ボルト４２６の締結力によって圧縮され、空気の移動を誘導する調節フィルター４２７と、前記流入量調節ボルト４２６に内蔵され、異物を濾過する微調整フィルター４２７ａとをさらに含んでなる。
【００５０】
前記装填解除誘導部材４４０は、カバー１２０に設けられたボディ結合孔４４０ａに装着されて回転する装填解除誘導ボディ４４１と；前記装填解除誘導ボディ４４１の一側に突出し、装填維持部材２５０の装填維持制御突起２５１ｂに選択的にかかるようにする装填解除制御突起４４２と；前記装填解除制御突起４４２に対して鈍角で装填解除誘導ボディ４４１の他側に突出して装填解除部材４５０が加圧されるようにする装填解除誘導突起４４３と；前記装填解除誘導ボディ４４１の一側に突出し、便座１０の内面に密着して装填解除部材４５０の加圧力が解除された装填解除誘導ボディ４４１を復元させる復元弾性片４４４と；を含んでなる。
【００５１】
前記大小便区分部３００は、着座スイッチ１００のカバー１２０に突出し、内部に流入通孔３１１が穿設された区分誘導リブ３１０と、前記区分誘導リブ３１０の流入通孔３１１を開閉する排出チェックバルブ３２０と、前記区分誘導リブ３１０に内蔵され、便座１０の下降動作と連動して誘導ばね３３０’の加圧で移動しながら区分誘導リブ３１０の内部の空気を誘導通孔３３０ａへ排出する誘導ロッド３３０と、前記誘導ロッド３３０の一側に突出した大小便判断部材３４０ａの加圧で小便排出孔４１３の開閉有無に応じて大／小便を判断するように空気流入調節部４２０の判断ピン制御溝４２５ａに装着される大小便判断ピン３４０と、前記誘導通孔３３０ａへ排出される空気の移動を制御するように誘導通孔３３０ａに締結される排出量調節ボルト３５０とを含んでなる。
【００５２】
前記誘導ロッド３３０の誘導通孔３３ａに締結される排出量調節ボルト３５０の締結力で圧縮され、空気の移動を誘導する調節フィルター３６０をさらに含んでなる。
【００５３】
以下、上述のように構成された本発明の作動過程を説明する。
【００５４】
まず、本発明は、装填部２００と洗浄開閉部５００と洗浄開閉維持部６００のみでも作動し、装填部２００とトイレットペーパータイム及び洗浄調節部４００と洗浄開閉部５００と洗浄開閉維持部６００だけでも作動するが、装填部２００と大小便区分部３００とトイレットペーパータイム及び洗浄調節部４００と洗浄開閉部５００と洗浄開閉維持部６００を含む構成に限定して作動過程を説明する。
【００５５】
前記装填部２００、大小便区分部３００並びにトイレットペーパータイム及び洗浄調節部４００を着座スイッチ１００のカバー１２０と感知板１３０との間に装着して１つのモジュールに形成し、防水シート１５０で包んで着座スイッチ１００を形成した後、前記着座スイッチ１００を便座１０の設置孔１１０に設置するが、図４及び図５に示すように、前記着座スイッチ１００の一側を設置孔１１０の一側に装着させた状態で他側を上方に回転させる。
【００５６】
このとき、装着固定部１６０の装着固定部材１６３は、設置孔１１０の内面に密着して装着ばね１６２を圧縮させながら装着固定孔１６１の内部へ移動し、前記装着固定孔１６１の内部へ移動する装着固定部材１６３が設置孔１１０を通過すると、装着ばね１６２の復元力によって突出して便座１０にかかって固定される。
【００５７】
前記装填部２００、大小便区分部３００並びにトイレットペーパータイム及び洗浄調節部４００を着座スイッチ１００のカバー１２０と感知板１３０との間に装着して１つのモジュールに形成しながら、防水シート１５０で包んで設置孔１１０に設置することにより、作業工程が簡素化されるのはもとより、作業能率の向上により作業時間を短縮することができ、防水機能も行うことができるのである。
【００５８】
前記着座スイッチ１００が装着された便座１０を便器本体に安着させ、前記便座１０とサイフォンカバー２０を洗浄開閉部５００の洗浄ワイヤー５４０で連結しながら、図６に示すように本発明の設置が完了する。
【００５９】
上記の過程で便器本体に安着された便座１０に用便者が着座すると、図７乃至図１０に示すように、用便者の荷重によって便座１０が下方に移動しながら、便器本体に安着された着座スイッチ１００のカバー１２０が、カバー１２０と感知板１３０との間に位置したシートばね１４０を圧縮する。
【００６０】
また、前記便座１０の下方移動により装填部２００のレバーガイド２４０の一端がガイド溝２３０ａに装着された装填レバー２３０の他端を加圧するとともに、前記装填レバー２３０は、ガイド溝２３０ａを中心に所定の角度回転しながら装填軸２１０に結合された装填部材２２０の他側を加圧して移動させ、装填維持部材２５０の係止突起２５１ａとワイヤーガイド５２０のガイド誘導突起５２３にかかりながら、装填部材２２０の装填力を維持することができるようにする。
【００６１】
この時、前記装填部材２２０の一側は、誘導リブ４１０に密着しているので、装填部材２２０の他側が内側に回転しながら、装填維持部材２５０の係止突起２５１ａとワイヤーガイド５２０のガイド誘導突起５２３を加圧するのはもとより、係止突起２５１ａとガイド突起５２３は、傾くように形成されており、装填部材２２０の圧縮力によって装填維持ボディ２５１は制御ばね２５２を圧縮させながら一定の距離下降した後、装填部材２２０が係止突起２５１ａを通過すると、制御ばね２５２の復元力によって装填維持部材２５０が復元され、係止突起２５１ａとワイヤーガイド５２０のガイド誘導突起５２３に装填部材２２０がかかった状態を維持するので、装填部材２２０の装填力を維持することができるのである。
【００６２】
また、前記便座１０の下方移動に伴ってトイレットペーパータイム及び洗浄調節部４００が昇降するとともに、装填解除部材４５０の加圧力が解除された装填解除誘導部材４４０は、便座１０の内面に密着した復元弾性片４４４の復元力で装填解除ボディ４４１がボディ結合孔４４０ａを中心に外側に回転しながら、装填解除ボディ４４１に突出した装填解除制御突起４４２は、装填維持ボディ２５１の装填維持制御突起２５１ｂの下部に位置し、前記装填解除部材４５０が装填解除誘導部材４４０を加圧して装填解除制御突起４４２が装填維持制御突起２５１ｂの下部から離脱する前まで便座１０の上方移動の際にも装填部材２２０が復元されないように装填部材２２０の装填力を維持することができるのである。
【００６３】
ここで、前記装填レバー２３０の円滑な移動のために、レバーガイド２４０の底面に湾曲面（図示せず）を形成することもでき、前記装填部材２２０の加圧力が解除された洗浄開閉維持部６００の開閉維持部材６２０は、弾性片６２３の弾力によって、回転誘導軸６１０に装着された軸孔６２２を中心に回転し、開閉維持ボディ６２１の他側に突出した解除誘導突起６２４が空気流入調節部４２０のガイド突起４２８から離脱する。
【００６４】
また、図１１及び図１２に示されているように、前記便座１０の下降動作と連動してトイレットペーパータイム及び洗浄調節部４００の空気流入調節部４２０が誘導リブ４１０の内側上端部へ移動すると同時に、前記誘導リブ４１０の内部空気は排出通孔４１１を経由しながら流入チェックバルブ４１０ａを介して誘導リブ４１０の外部へ排出され、前記空気流入調節部４２０の上昇によって、チェックピン制御溝４２５ｂに装着されたトイレットペーパータイムチェックピン４３０が上昇しながら、誘導リブ４１０に穿設された誘導リブ通孔４１１’を閉鎖させる。
【００６５】
ここで、前記流入チェックバルブ４１０ａは、前記便座１０に用便者の荷重が加わると、開放されて誘導リブ４１０の内部の空気を外部へ排出し、用便者の荷重が解除されると閉鎖されて誘導リブ４１０の内部への空気流入を遮断する弁である。
【００６６】
前記空気流入調節部４２０が誘導リブ４１０の内側上端部に移動するとき、離脱防止部材４２５は、フラッシュワッシャー４２３に密着した調節ばね４２４を圧縮させるが、前記フラッシュワッシャー４２３は、誘導リブ４１０にかかった状態を維持するので、離脱防止部材４２５の移動に伴う調節ばね４２４の圧縮力を維持することができるのである。
【００６７】
また、図１３乃至図１７に示されているように、前記便座１０の下降動作と連動して圧縮された誘導ばね３３０’の加圧で、大小便区分部３００の誘導ロッド３３０は区分誘導リブ３１０の内側上端部へ移動するが、前記区分誘導リブ３１０の内部の空気は、排出チェックバルブ３２０が閉鎖させた流入通孔３１１へ排出されず、誘導ロッド３３０の誘導通孔３３０ａを介して排出調節ボルト３５０へ排出されるようにする。
【００６８】
このとき、前記排出量調節ボルト３５０は、誘導ロッド３３０の誘導通孔３３０ａに締結されながら、調節フィルター３６０を圧着するのはもとより、調節フィルター３６０の圧着力に応じて調節フィルター３６０を通過する空気の移動量を調節することができるのである。
【００６９】
また、前記区分誘導リブ３１０の内部の空気が排出調節ボルト３５０へ排出されながら、誘導ロッド３３０が区分誘導リブ３１０の内側上端部へ移動する誘導ロッド３３０の一側に突出した大小便判断部材３４０ａが、空気流入調節部４２０の判断ピン制御溝４２５ａに装着された大小便判断ピン３４０を加圧して小便排出孔４１３を塞げば、用便者の用便を大便と判断するのはもとより、前記大小便判断ピン３４０は、小便排出孔４１３を閉鎖させて大便排出孔４１２のみで空気を吸入し、前記大小便判断部材３４０ａが大小便判断ピン３４０を加圧しないため小便排出孔４１３を塞げなければ、常に開いている大便排出孔４１２と小便排出孔４１３で同時に空気を吸入するので、誘導ロッド３３０が大便判断時よりも速く移動するのである。
【００７０】
ここで、前記排出チェックバルブ３２０は、前記便座１０に用便者の荷重が加わると、閉鎖されて区分誘導リブ３１０の内部への空気流入を遮断し、用便者の荷重が解除されると開放され、区分誘導リブ３１０の内部空気を外部へ排出する弁である。
【００７１】
前記便座１０に着座した用便者の用便後、用便者が便座１０から離脱すると、便座１０は、着座スイッチ１００のシートばね１４０の復元力により上昇する。
【００７２】
このとき、図１８乃至図２０に示すように、トイレットペーパータイム及び洗浄調節部４００の空気流入調節部４２０の空気流入調節部材４２１は、調節ばね４２４の復元力で空気流入調節部４２０が誘導リブ４１０の内側下端部へ移動するが、前記誘導リブ４１０の排出通孔４１１を流入チェックバルブ４１０ａが閉鎖しているので、空気流入調節部４２０の流入量調節ボルト４２６を介してのみ誘導リブ４１０の内側上端部へ空気が供給される。
【００７３】
ここで、前記流入量調節ボルト４２６に流入する空気は、流入量調節ボルト４２６の圧着力に応じて、調節フィルター４２７を通過する空気の移動量を調節して、トイレットペーパータイム及び洗浄調節部４００で、トイレットペーパーを捨てる時間を確保するとともに洗浄開閉部５００の作動時間を遅延させることができる。
【００７４】
そして、前記流入量調節ボルト４２６の内部に装着された微調整フィルター４２７ａで、空気に含まれている異物を濾過して移動させるので、調整フィルター４２７の目詰まりを防止するとともに安定感よく使用することができる。
【００７５】
また、図２１に示されているように、前記流入量調節ボルト４２６を介して誘導リブ４１０の内部に空気が流入しながら、空気流入調節部４２０が誘導リブ４１０の下端部に所定距離移動すると、離脱防止部材４２５の一側に形成された装填解除部材４５０が装填解除誘導部材４４０の装填解除誘導突起４４３を加圧すると、装填解除誘導部材４４０は、ボディ結合孔４４０ａを中心に内側へ回転しながら、便座１０の内面に密着した復元弾性片４４４を圧縮させて復元力を生成させるとともに、装填解除誘導ボディ４４１の一側に突設された装填解除制御突起４４２が装填維持部材２５０の装填維持制御突起２５１ｂから離脱する。
【００７６】
前記装填解除部材４５０の加圧で装填解除部材４４０が回転して係止力が解除された装填維持部材２５０は、下方に移動するレバーガイド２４０の加圧によって制御ばね２５２を圧縮させ、装填維持ボディ２５１が下方に移動しながら装填部材２２０の制御力が失われると、図２２乃至図２４に示されているように、前記装填部材２２０は、圧縮された装填力によって復元されるとともに装填部材２２０がガイド突起５２３にかかっているので、ワイヤーガイド５２０は、回転誘導軸５１０を中心に外方に回転しながら、ローラー誘導孔５２２に装着されたワイヤーローラー５３０が便座１０の内部とサイフォンカバー２０とを連結した洗浄ワイヤー５４０を引っ張ってサイフォンカバー２０の上方回転により水槽の排水孔を開放し、開放された排水孔を介して水槽の洗浄水が便器本体へ排出されて用便を洗浄することができる。
【００７７】
ここで、前記復元される装填部材２２０を洗浄開閉維持部６００の開閉維持部材６２０で支持しながら装填部材２２０がワイヤーガイド５２０のガイド誘導突起５２３から離脱を遅延させることにより、洗浄ワイヤー５４０によるサイフォンカバー２０が閉じて用便を洗浄することができない現象を遮断することができる。
【００７８】
前記装填部材２２０が加圧する開閉維持部材６２０は、回転誘導軸６１０を中心に回転しながら、開閉維持ボディ６２１に突出した弾性片６２３が便座１０の内面に密着して装填部材２２０の加圧力を吸収し、装填部材２２０の急激な復元を防止することができる。
【００７９】
前記便器本体へ排出される洗浄水は、大小便区分部３００で判断された大／小便に対応するように排出されるが、これは、用便者の離脱により空気流入調節部４２０が下降移動しながら、トイレットペーパータイムチェックピン４３０が、誘導リブ４１０に穿設された誘導リブ通孔４１１’を開放すると、開放された誘導リブ通孔４１１’から小便排出孔４１３または小便排出孔４１３と大便排出孔４１２を介して誘導リブ４１０の内部へ供給される。
【００８０】
この際、前記大／小便排出孔４１２、４１３へ供給される空気は、大／小便排出孔４１２、４１３に締結される大／小便調節ボルト４１２’、４１３’の締結力または大／小便調節ボルト４１２’、４１３’の締結力によって圧着されるフィルター（図示せず）の圧着力に応じて、大／小便排出孔４１２、４１３へ移動する空気量を調節することで、大／小便に対応する洗浄水を排出することができる。
【００８１】
前記装填部材２２０が洗浄開閉部６００の開閉維持部材６２０を加圧しながら復元され、ワイヤーガイド５２０のガイド誘導突起５２３から離脱してワイヤーガイド５２０の係止を解除することができ、係止が解除されたワイヤーガイド５２０は、水槽の洗浄水が便器本体へ排出された状態でサイフォンカバー２０が下降して水槽の排水孔を閉鎖させるとともに、サイフォンカバー２０の下降移動によって洗浄ワイヤー５４０を引き、洗浄ワイヤー５４０は、ワイヤーローラー５３０を回転させながらワイヤーガイド５２０を復元させ、復元されるワイヤーガイド５２０は、回転軸５１０ａに結合された補助ワイヤーローラー５３０ａを回転させながら容易に復元される。
【００８２】
そして、前記空気流入調節部４２０の下降移動によって判断ピン制御溝４２５ａに装着された大小便判断ピン３４０と、チェックピン制御溝４２５ｂに装着されたトイレットペーパータイムチェックピン４３０が各制御溝の加圧によって下降移動しながら、大便排出孔４１２及び誘導リブ４１０に穿設された誘導リブ通孔４１１’を開放させるとともに、装填部２００、大小便区分部３００並びにトイレットペーパータイム及び洗浄調節部４００が復元されながら、次の動作を待機する。
【００８３】
以上のように、本発明は、たとえ限定された実施形態及び図面によって説明されたが、本明細書及び請求の範囲で使用された用語や単語は、通常的且つ辞典的な意味に限定されて解釈されてはならず、本発明の技術的思想に符合する意味と概念で解釈されるべきである。よって、本明細書に記載された実施形態及び図面に示されている構成は、本発明の一実施形態に過ぎず、本発明の技術的思想をすべて代弁するものではないため、本発明の請求の範囲から外れない範囲内で様々な均等物と変形例があり得ることを理解すべきである。
【符号の説明】
【００８４】
１００    着座スイッチ
２００    装填部
３００    大小便区分部
４００    トイレットペーパータイム及び洗浄調節部
５００    洗浄開閉部
６００    洗浄開閉維持部
【図１】
2019503447.tif 000003
【図２】
2019503447.tif 000004
【図３】
2019503447.tif 000005
【図４】
2019503447.tif 000006
【図５】
2019503447.tif 000007
【図６】
2019503447.tif 000008
【図７】
2019503447.tif 000009
【図８】
2019503447.tif 000010
【図９】
2019503447.tif 000011
【図１０】
2019503447.tif 000012
【図１１】
2019503447.tif 000013
【図１２】
2019503447.tif 000014
【図１３】
2019503447.tif 000015
【図１４】
2019503447.tif 000016
【図１５】
2019503447.tif 000017
【図１６】
2019503447.tif 000018
【図１７】
2019503447.tif 000019
【図１８】
2019503447.tif 000020
【図１９】
2019503447.tif 000021
【図２０】
2019503447.tif 000022
【図２１】
2019503447.tif 000023
【図２２】
2019503447.tif 000024
【図２３】
2019503447.tif 000025
【図２４】
2019503447.tif 000026
【国際調査報告】
2019503447.tif 000027
2019503447.tif 000028
2019503447.tif 000029
2019503447.tif 000030